(57)【特許請求の範囲】
【請求項１】
進行方向上手側主レールに接続される上手側の継手レールに接続可能で一方に彎曲して下手側主レールに接続される下手側の継手レールに接続可能な切替えレールと、上手側の継手レールと下手側の継手レールの片面を継手レール支柱で支持するとともに、継手レール支柱を上手側の継手レールの下端と下手側の継手レールの下端を結ぶ第一フレームと、上手側の継手レールの下端を延長線方向に延びる第二フレームと、第一フレームから延びて第二フレームに直角に連結される第三フレームとからなる直角三角形状のレールベースから起立させたモノレールのポイント切替え装置であり、切替えレールを一方の彎曲で使用するときは、切替えレールを上手側の継手レールと下手側の継手レールに連結し、切替えレールを他方の彎曲で使用するときは、切替えレールを前後入れ換えるとともに、レールベースを第二フレームを中心に表裏反対にして下手側の継手レール支柱を片面に取り付けてレールベースから起立させ、切替えレールを上手側の継手レールと下手側の継手レールに連結することを特徴とするモノレールのポイント切替え装置。
【請求項２】
切替えレールに加えて上手側主レールから真っ直ぐに下手側主レールに接続する真直切替えレールを上手側の継手レール支柱と第一フレームと第二フレームの交差部から起立させられる中央継手レール支柱とで支持しておき、切替えレールを一方又は他方の彎曲で使用するときは、真直切替えレールの上手側を継手レールから外して切替えレールの邪魔にならない個所に除け、真直切替えレールを使用するときは、切替えレールの上手側を継手レールから外して真直切替えレールの邪魔にならない個所に除ける請求項１のモノレールのポイント切替え装置。
【請求項３】
各々の継手レール支柱と中央継手レール支柱が継手レールの側面にねじ止めされる当板と、当板から下がる柱体と、柱体の下端に取り付けられる取付板とからなる同一形状をしており、かつ、レールベースの各フレームの交差部の表裏面に継手レール支柱の取付板にボルト止めされる面板が設けられたものである請求項２のモノレールのポイント切替え装置。
【請求項４】
レールベースが直角三角形状のものに代えて上手側の継手レールの延長線上から振り分けに設けられた第四フレーム及び第五フレームと、第四フレーム及び第五フレームの端部を連結する第六フレームとからなる二等辺三角形状をしているものであり、各フレームの交差部に継手レール支柱を片面に取り付けてレールベースから起立させた請求項１又は２のモノレールのポイント切替え装置。
【請求項５】
面板がレールベースの各フレームの頂部の表面に設けられる請求項３のモノレールのポイント切替え装置。
【発明の詳細な説明】
【技術分野】
【０００１】
本発明は、モノレールを軌条とする走行車が進行方向え変えるときのポイント切替え装置に関するものである。
【背景技術】
【０００２】
地上に架設した単軌条（モノレール）にラックを貼設し、このラックに強制駆動されるピニオンを噛み合わせて走行する軌条式走行車は知られている。軌条式走行車はラックに噛み合うピニオンを有しており、エンジンの動力を減速してピニオンに伝えている。このため減速装置（ミッションケース）は重量も重くなることから、できるだけ地上高さを抑えるようにし、少なくとも下端はモノレールより下方に位置させている。一方で、モノレールはレール支柱で地上に架設されるから、ミッションケースを含む車体をレール支柱の反対側に位置させてレール支柱との干渉を避けている。
【０００３】
ところで、モノレールは一直線ではなく、途中で進行方向を切り替える必要もあり、これに対応してポイント切替え装置を設けて分岐させるようにしている。すなわち、分岐させる場合、上手側の本線に対して下手側に二本の本線を設け、この間を切替えレールで切り替えている。この場合、切替えレールは彎曲に形成してスムーズな切替えと走行を果たしている。したがって、下手側の一方の本線に連結する場合は、それ専用の切替えレールを使用して他の切替えレールは外しており、他方の本線に連結する場合も同様である。この点で、二種の切替えレールを用意しておかなければならず、製作や在庫のコストがかかっていた。
【０００４】
そこで、ポイントの切替えに際しては、切替えレールの前後を入れ換えればよいように思える。こうすると、部材の共用化が図られ、製作や管理のコストが低減することになるが、それは無理である。何故なら、切替えレールの前後の向きを変えると、レール支柱も反対側に位置し、軌条走行車の車体の一部がレール支柱に干渉してしまうからである。なお、本出願人は、トリプルレールを前提として部材の共用化が図られるポイント切替え装置を下記特許文献１として提案しているが、二本のサブレールの中を通る内部サブレールを必要とする等、複雑化は否めなかった。
【先行技術文献】
【特許文献】
【０００５】
【特許文献１】特願２００９−２９００６１号
【発明の概要】
【発明が解決しようとする課題】
【０００６】
本発明は、主レール（本線）と切替えレールの接続点に設けられる継手レール、継手レールを継手レール支柱で支持するレールベースや切替えレールを一種類で可能にして部材の共用化を図ることができるとともに、一つのモノレールから二方向又は三方向に分岐できるようにしたものである。
【課題を解決するための手段】
【０００７】
以上の課題を解決するために、本発明は、請求項１に記載した、進行方向上手側主レールに接続される上手側の継手レールに接続可能で一方に彎曲して下手側主レールに接続される下手側の継手レールに接続可能な切替えレールと、上手側の継手レールと下手側の継手レールの片面を継手レール支柱で支持するとともに、継手レール支柱を上手側の継手レールの下端と下手側の継手レールの下端を結ぶ第一フレームと、上手側の継手レールの下端を延長線方向に延びる第二フレームと、第一フレームから延びて第二フレームに直角に連結される第三フレームとからなる直角三角形状のレールベースから起立させたモノレールのポイント切替え装置であり、切替えレールを一方の彎曲で使用するときは、切替えレールを上手側の継手レールと下手側の継手レールに連結し、切替えレールを他方の彎曲で使用するときは、切替えレールを前後入れ換えるとともに、レールベースを第二フレームを中心に表裏反対にして下手側の継手レール支柱を片面に取り付けてレールベースから起立させ、切替えレールを上手側の継手レールと下手側の継手レールに連結することを特徴とするモノレールのポイント切替え装置を提供したものである。
【０００８】
また、本発明は、以上のポイント切替え装置において、請求項２に記載した、切替えレールに加えて上手側主レールから真っ直ぐに下手側主レールに接続する真直切替えレールを上手側の継手レール支柱と第一フレームと第二フレームの交差部から起立させられる中央継手レール支柱とで支持しておき、切替えレールを一方又は他方の彎曲で使用するときは、真直切替えレールの上手側を継手レールから外して切替えレールの邪魔にならない個所に除け、真直切替えレールを使用するときは、切替えレールの上手側を継手レールから外して真直切替えレールの邪魔にならない個所に除ける手段、請求項４に記載した、レールベースが直角三角形状のものに代えて上手側の継手レールの延長線上から振り分けに設けられた第四フレーム及び第五フレームと、第四フレーム及び第五フレームの端部を連結する第六フレームとからなる二等辺三角形状をしているものであり、各フレームの交差部に継手レール支柱を片面に取り付けてレールベースから起立させた手段を提供する。
【発明の効果】
【０００９】
請求項１の発明によると、所定に彎曲した切替えレールと所定の直角三角形状をしたレールベース及び上手側及び下手側の継手レールと、継手レールをレールベース上に支持する継手レール支柱をそれぞれ一種類用意しておくだけで、右又は左への方向の切替えが可能になる。また、ポイント切替えの際には、切替えレールを前後反転するとともに、レールベースを表裏反転させ、継手レール支柱をレールベースに付け替えて取り付けるだけでよいから、作業が迅速で容易である。
【００１０】
請求項２の発明によると、真直レールを設けておくことで、真っ直ぐと右又は左への都合三方向の切り替えができる。また、部材の共用化や切替え作業の容易なことも変わらない。請求項４の発明によると、レールベースの表裏反転は必要がなく、右又は左への切替えは更に容易になる。
【図面の簡単な説明】
【００１１】
【図１】ポイント切替え装置の第一例の要部の平面図である。
【図２】ポイント切替え装置の第一例の要部の平面図である。
【図３】ポイント切替え装置の第二例の要部の平面図である。
【図４】ポイント切替え装置の要部を示す要部の一部断面側面図である。
【図５】ポイント切替え装置の要部を示す要部の一部平面図である。
【図６】ポイント切替え装置の第二例の要部の平面図である。
【図７】ポイント切替え装置の第二例の要部の平面図である。
【図８】ポイント切替え装置の第三例の要部の平面図である。
【図９】軌条走行車とレールの関係を示す要部の後面図である。
【図１０】継手レールと切替えレールとの接続構造を示す他の例の一部平面断面図である。
【図１１】継手レールと切替えレールとの接続構造を示す他の例の一部側面断面図である。
【発明を実施するための形態】
【００１２】
以下、本発明の実施の形態を図面を参照して説明する。図１及び図２は本発明に係るポイント切替え装置の第一例を示す平面図であるが、上手側主レール１の延長方向と向きが異なる下手側主レール２を予め二本架設しておく。なお、これらの主レール１、２は角パイプからなり（すべてのレールも同じ）、レール支柱３で地上に架設しておく（後述するレールベースで支持することもある）。そして、所望の向きの下手側の主レール２と上手側の主レール１を彎曲した切替えレール４で連結してポイントの切替えを行う。ポイントの切替えは主レール１、２と切替えレール４との間に短いレールである継手レール５を設けて継手レール５間に切替えレール４を挿入する。なお主レール１、２と継手レール５とは従来公知の中子６による接続によればよい。
【００１３】
図４は下手側の継手レール５の側面図、図５は一部平面図であるが、継手レール５の切替えレール４側に端部ブロック７を挿入して固定し、端部ブロック７の端面に開口する水平な切欠溝８を形成し、この切欠溝８に切替えレール４の端部に挿入して固定した別の端部ブロック９から突出した舌片１０を挿入し、舌片１０と切欠溝８とを上下に挿入するねじピン１１で回動自在に接続するのである（ただし、ねじピン１１の頭部は継手レール５の上面には覗かせない）。なお、主レール１、２、継手レール５及び切替えレール４の下面にはラック１２を連続して貼設している。
【００１４】
各々の継手レール５はベース支柱１３によって地上に支持されるレールベース１４に継手レール支柱１５で支持されて起立させられる。継手レール支柱１５は、継手レール５の特定の片面（進行方向からみれば右側）にねじ止めされる当板１５ａと、当板１５ａから下がる柱体１５ｂと、柱体の下端に設けられる水平な取付板１５ｃとからなる。
【００１５】
図９は継手レール５（主レール１等でも同じ）を走行する軌条走行車１６の一部背面図であるが、軌条走行車１６は、継手レール５を上下から挟む転動輪１７と駆動輪１８とを有し、駆動輪１８をラック１２に噛み合わせて走行する。この場合、当板１５ａや柱体１５ｂは軌条走行車１６の車体１６ａに干渉してはならないから、主レール１や継手レール５の車体１６ａとは反対側の片面に位置させるのは上記したとおりである。さらに、当板１５ａやこれを継手レール５にねじ止めするためのボルト・ナット２５は軌条走行車１６の転動輪や駆動輪１８のフランジに干渉しない下方の位置に取り付ける必要がある。
【００１６】
レールベース１４は、上手側のレール支柱１５の取付板１５ｃと下手側のレール支柱１５の取付板１５ｃのそれぞれ下面を結ぶ第一フレーム１４ａと上手側の継手レール５の取付板１５ｃの下面から継手レール５の延長線上に延びる第二フレーム１４ｂと第一フレーム１４ａと第二フレーム１４ｂの端部を直角に連結する第三フレーム１４ｃとからなる直角三角形をしたものであり、それぞれの交差部の表裏面に面板１９を設けたものである。なお、図１等で示されるレールベース１４の第一フレーム１４ａは直線状であるが、切替えレール４と同じように彎曲させてもよい。こうすると、彎曲加工が必要になるが、第一フレーム１４ａと切替えレール４のオフセット量が小さくなり、切替えレール４が長い場合にその途中を補助支柱（図示省略）でレールベース１４に支持するときの構造が簡単になる利点がある。
【００１７】
以上により、上手側主レール１から一方の下手側主レール２（Ａ）の方向にポイントを切り替えるときには、それぞれの個所に各々主レール１、２を接続した上手側及び下手側の継手レール５を支持する継手レール支柱１５の取付面１５ｃをレールベース１４の面板１９にねじ止めして固定し、各継手レール５間に切替えレール４を挿入すればよいことになる（舌片１０の挿抜とねじピン１１の締緩で側方から挿入、抜出ができる）。
【００１８】
一方、他方の下手側主レール２（Ｂ）の方向にポイントを切り替えるときには、切替えレール４を前後入れ換えて彎曲を逆にし、レールベース１４を第一フレーム１４ａを中心に表裏反転させればよい。このとき、レールベース１４に継手レース支柱１５を取り付けたままであると、継手レース支柱１５が軌条走行車１６の車体１６ａに干渉する側になるから、継手レール支柱１５を反対側に取り付け直す必要がある。この操作が容易なように、各フレーム１４ａ、１４ｂ、１４ｃの交差部に予め面板１９を表裏面に設けておくのである。本例のものは、レールベース１４の幅を小さくでき、資材を置いたりするのに邪魔にならない利点がある。
【００１９】
図３及び図６は本発明の第二例の平面図であるが、本例のものは、上記した切替えレール４の他に上手側の継手レール５の真っ直ぐ延長線上に真直切替えレール２０を取り付けたものである。すなわち、レールベース１４の上記した交差部に中央継手レール２１を中央継手レース支柱２２によって支持したものである。なお、中央継手レール支柱２２はレールベース１４の各フレーム１４ａ、１４ｂ、１４ｃの交差部に面板２３（上記の面板１９と同じ形状でよい）を設け、これに取り付ければよい。
【００２０】
図示からわかるように、上手側及び下手側の継手レール５と中央継手レール２１はすべて同じものでよく、これらを支持する継手レール支柱１５と中央継手レール支柱２２も同じものでよい。これによると、ポイントの切替えを（Ａ）と（Ｂ）の二方向にできることになる。このとき、図３に示すように、（Ａ）の方向の切替えレール４を使用するときは、真直切替えレール２０が邪魔になるから、上手側の継手レール５のねじピン１１を外して切替えレール４の邪魔にならない位置にスタンド２４等を設けて除けておくと、切替えレール４全部を取り外す手間が省ける。
【００２１】
同様に（Ｂ）の方向の切替えレール４を使用するときは、切替えレール４を前後反転するとともに、レールベース１４を第一フレーム１４ａを中心に表裏反転し、継手レール支柱１５の向きを変えて付け替えればよい。これによると、ポイントの切替えを（Ｂ）と（Ｃ）の二方向にでき、以上の操作で都合（Ａ）、（Ｂ）及び（Ｃ）の三方向に切り替えることができる。また、図６に示すように、（Ｃ）の方向の真直切替えレール２０を使用するときは、切替えレール４が邪魔になるから、同じく邪魔にならない位置にスタンド２４等で除けておけばよい。
【００２２】
図８は本発明の第三例の平面図であるが、本例のものは、レールベース１４を予め（Ａ）の方向と（Ｂ）の方向に向く第四フレーム１４ｄと第五フレーム１４ｅ及び第六フレーム１４ｆとでＹ字形の二等辺三角形にしたものである（第四フレーム１４ｄと第五フレーム１４ｅを切替えレール４と同じように彎曲させてもよいのは上記と同じである）。これによると、切替えレール４を前後反転し、継手レール支柱１５の向きを変えて付け替えるだけで、（Ａ）と（Ｂ）の方向に切り替えことができる（レールベース１４を表裏反転させる必要がない）。このときの便を考慮して面板１９は第四フレーム１４ｄと第五フレーム１４ｅの両方の端部に設けておけばよいが、この場合は表面だけでよい。また、切替えの便を考慮して使用しない方の継手レール５や継手レール支柱１５等も取り付けておくのが適する。
【００２３】
ところで、接続レール５と切替えレール４との接続はそれぞれの端部ブロック７、９に舌片１０と切欠溝８を横に形成し、これらを嵌合するものであることは上記したが、図１０の平面断面図、図１１の側面断面図に示すように縦に形成してもよい。この場合、継手レール５側の端部ブロック７の切欠溝８は完全に上下に貫通するものではなく、底辺に肉部８ａを残しておくのが適する。舌片１０を切欠溝９に上から落し込む際の位置決めや裏面にラック１２を貼設するときの強度面のためである。また、舌片１０と切欠溝８を固定するためのボルト・ナット２５は転動輪１７や駆動輪１８のフランジに邪魔にならない位置に通すことは上記したとおりである。
【００２４】
さらに、上記いずれの場合も、舌片１０と切欠溝８は接続レール５側であっても、切替えレール４側であってもよい。また、図示は省略するが、接続レール５又は切替えレール４側に舌片１０の両側に延びて相手方のレール４、５を挟み込むプレートを設け、このプレートと相手側のレール４、５とをネジ止めすると、接続がより強固になる。なお、以上の説明は車首を先頭にして前進する往行のときの説明であるが、車種を後尾にして後進する復行のときに分岐する場合も同じである。
【符号の説明】
【００２５】
１      上手側主レール
２      下手側主レール
３      レール支柱
４      切替えレール
５      継手レール
６      中子
７      端部ブロック
８      切欠溝
８ａ      〃  の残存肉部
９      端部ブロック
１０    舌片
１１    ねじピン
１２    ラック
１３    ベース支柱
１４    レールベース
１４ａ        〃    の第一フレーム
１４ｂ        〃    の第二フレーム
１４ｃ        〃    の第三フレーム
１４ｄ        〃    の第四フレーム
１４ｅ        〃    の第五フレーム
１４ｆ        〃    の第六フレーム
１５    継手レース支柱
１５ａ        〃      の当板
１５ｂ        〃      の柱体
１５ｃ        〃      の取付板
１６    軌条走行車
１６ａ        〃  の車体
１７    転動輪
１８    駆動輪
１９    面板
２０    真直切替えレール
２１    中央継手レール
２２    中央継手レール支柱
２３    面板
２４    スタンド
２５    ボルト・ナット
【図１】
0005825623.tif 000002
【図２】
0005825623.tif 000003
【図３】
0005825623.tif 000004
【図４】
0005825623.tif 000005
【図５】
0005825623.tif 000006
【図６】
0005825623.tif 000007
【図７】
0005825623.tif 000008
【図８】
0005825623.tif 000009
【図９】
0005825623.tif 000010
【図１０】
0005825623.tif 000011
【図１１】
0005825623.tif 000012